(57)【要約】【課題】図１柱上端部から長尺の柱主鉄筋を突出させて成る連設の柱部材間に架設される梁部材においても、梁主筋の結合を簡易にして柱・梁接合部における施工効率の向上を図ることができる柱・梁接合部の施工方法と梁部材を提供する。【解決手段】本発明による柱・梁接合部の施工方法は、柱上端部に長尺の柱主鉄筋を突出させて成る柱部材の上端面上に少なくとも三方から両端部に所定長さの梁下端主筋４を突出させて成るプレキャストコンクリート製の梁部材を裁置して、対向する梁部材の梁下端主筋同士を結合する柱・梁接合部の施工方法であって、梁下端主筋４を突出させた梁端部側辺に面取部７を形成して成る梁部材１を柱部材の上端面上に裁置して、直交する梁部材１、１との間に該面取部７によって所望の間隙を形成し、この隙間を通じて梁下端主筋同士を結合することを特徴にしている。【選択図】  図１
2004270353.tif 000002
【特許請求の範囲】
【請求項１】
柱上端部に長尺の柱主鉄筋を突出させて成る柱部材の上端面上に少なくとも三方から両端部に所定長さの梁下端主筋を突出させて成るプレキャストコンクリート製の梁部材を裁置して、対向する梁部材の梁主下端筋同士を結合する柱・梁接合部の施工方法であって、梁下端主筋を突出させた梁端部側辺に面取部を形成して成る梁部材を前記柱部材の上端面上に裁置して、直交する梁部材との間に該面取部によって所望の間隙を形成し、該隙間を通じて梁下端主筋同士を結合することを特徴とする柱・梁接合部の施工方法。
【請求項２】
請求項１に記載の柱・梁接合部の施工方法に用いられプレキャストコンクリート製の梁部材であって、該梁部材の少なくとも一方端部の側辺に所定寸法の面取部を形成することを特徴とする梁部材。
【請求項３】
面取部が、少なくとも梁部材の下端面から所定の間隔をおいて形成されることを特徴とする請求項２に記載の梁部材。
【発明の詳細な説明】
【０００１】
【発明の属する技術分野】
本発明は柱・梁接合部の施工方法と梁部材に関し、特に、柱上端部から長尺の柱主鉄筋を突出させて成る連設の柱部材間に架設される梁部材における梁主筋の結合を簡易にする柱・梁接合部の施工方法と梁部材に関する。
【０００２】
【発明の属する技術分野】
本発明は柱・梁接合部の施工方法と梁部材に関し、特に、柱上端部から長尺の柱主鉄筋を突出させて成る連設の柱部材間、若しくは、一つおきに柱上端部から長尺の柱主鉄筋を突出させて成る連設の柱部材間に載置される梁部材における梁主筋の結合を簡易にする柱・梁接合部の施工方法と梁部材に関する。
【０００３】
【従来の技術】
一般的な柱・梁接合部においては、柱に載置する梁部材をフルＰＣａ、ハーフＰＣａ及び外殻ＰＣａ等に形成していることが多く、プレキャスト化による利益を大いに活用している。
【０００４】
しかして、柱部材と梁部材の接合は、梁部材のプレキャストコンクリート端部を柱部材上に載せて、柱・梁接合部内で柱及び梁部材の接合が行われるものであり、梁部材双方の梁下端主筋を柱部材上で互いに接続すると共に、柱部材上を通して梁上端主筋やその継手筋を配筋した後、柱・梁接合部にコンクリートを打設することで行われる。
【０００５】
しかるに、柱部材上から接合部を貫通させて上階側の柱部材に接続される多数の柱主筋が突出しており、この多数の柱主筋が接合部に存在するために梁主筋を結合するための作業性が悪くなり、特に柱部材に三方又は四方から梁下端主筋が突出した梁部材を裁置した後には、柱主筋と梁主筋との混在によって柱・梁接合部における梁下端主筋の結合や柱フープ配筋をすることが困雄になっている。特に、柱上端部から長尺の柱主鉄筋を突出させて成る柱部材の場合は、困難を来していた。
【０００６】
又、プレハブ建築工法では、プレキャストコンクリート梁枠の内部に環状のせん断補強筋である帯筋やこれに直交する方向の下端筋を埋設させているが、この環状の帯筋は、その上部を梁の上面に露出させて主筋となる上端筋を挿通させると共に、隣接する梁の梁主筋を結合してスラブ配筋を行った後にコンクリートを打設し、現場施工のコンクリート部分とプレキャストコンクリート梁との一体化を行うもので、この様なプレキャストコンクリート梁では、上端筋を挿通するには横方向から差し入れなければならず、極めて面倒な配筋作業となっていた。（例えば、特許文献１を参照）
【０００７】
【特許文献１】
特許第３２２２８５６号公報（段落符号「００２３」〜段落符号「００２９」、図４〜６）
【０００８】
【発明が解決しようとする課題】
本発明は、上記のような柱・梁接合部の梁部材における配筋作業の困難さを改善するために提案するものであり、柱上端部から長尺の柱主鉄筋を突出させて成る連設の柱部材間、若しくは、一つおきに柱上端部から長尺の柱主鉄筋を突出させて成る連設の柱部材間に架設される梁部材においても、梁主筋の結合を簡易にして柱・梁接合部における施工効率の向上を図ることができる柱・梁接合部の施工方法と梁部材を提供している。
【０００９】
【課題を解決するための手段】
本発明による柱・梁接合部の施工方法は、柱上端部に長尺の柱主鉄筋を突出させて成る柱部材の上端面上に少なくとも三方から両端部に所定長さの梁下端主筋を突出させて成るプレキャストコンクリート製の梁部材を裁置して、対向する梁部材の梁下端主筋同士を結合する柱・梁接合部の施工方法であって、梁下端主筋を突出させた梁端部側辺に面取部を形成して成る梁部材を柱部材の上端面上に裁置して、直交する梁部材との間に該面取部によって所望の間隙を形成し、該隙間を通じて梁下端主筋同士を結合することを特徴としており、柱上端部から長尺の柱主鉄筋を突出させて成る連設の柱部材間に架設される梁部材にあっても施工操作に必要な空間を確保して柱・梁接合部における梁下端主筋の結合作業性を向上させている。
【００１０】
又、本発明による梁部材は、上記柱・梁接合部の施工方法に用いられるプレキャストコンクリート製の梁部材であって、該梁部材の両端部の側辺に所定寸法の面取部を形成し、少なくとも梁部材の下側面から所定の間隔をおいて形成することを特徴としており、柱部材に対する梁部材の架設を確実にしながら柱・梁接合部における梁下端主筋の結合作業を容易にしている。
【００１１】
【発明の実施の形態】
本発明による柱・梁接合部の施工方法は、柱上端部に長尺の柱主鉄筋を突出させて成る柱部材の上端面上に少なくとも三方から両端部に所定長さの梁下端主筋を突出させて成るプレキャストコンクリート製の梁部材を裁置して、対向する梁部材の梁下端主筋同士を結合する柱・梁接合部の施工方法であって、梁下端主筋を突出させた梁端部側辺に面取部を形成して成る梁部材を柱部材の上端面上に裁置して、直交する梁部材との間に該面取部によって所望の間隙を形成し、該隙間を通じて梁下端主筋同士を結合することを特徴としている。
以下に、本発明による柱・梁接合部の施工方法に関する実施の形態を図面に基づいて詳細に説明するが、最初に、それに使用する梁部材を図１において説明する。
【００１２】
本発明による梁部材は、プレキャストコンクリート製であって、梁部材の両端部の側辺に所定寸法の面取部を形成し、少なくとも梁部材の下側面から所定の間隔をおいて形成することを特徴としており、図１に示す実施の形態では、フルＰＣａの梁部材１に適用した例を示している。
【００１３】
なお、一つおきに柱上端部から長尺の柱主鉄筋を突出させて成る連設の柱部材間に架設される場合は、図１に示す実施の形態にかえて、梁部材の一方の端部の側辺に所定寸法の面取部を形成してもよい。
【００１４】
本実施の形態の梁部材１は、プレキャストコンクリート２の内部に環状の帯筋３やこれに直交する方向の梁下端主筋４を埋設させており、その上部を梁部材１の上面５に露出させた環状の帯筋３は、主筋となる梁上端主筋６を挿通させるように構成されている。
【００１５】
梁部材１は、端部を形成しているプレキャストコンクリート２の両端に面取部７を形成している。面取部７は、プレキャストコンクリート２の下側面８と上面５とから所定の間隔９を隔てた範囲に、プレキャストコンクリート２の結合方向である長手方向に対して４５度に斜行する欠落部１０として形成されるものであり、互いに直交する隣接の梁部材１との間に各面取部７によって形成される作業間隙を確保できるものである。
【００１６】
面取部７が下側面８と上面５とから隔てる間隔９は、梁部材１を柱部材の上面に架設させる際に充分な強度を確保できる剪断断面積を構成するためのものであり、この面取部７は、本実施の形態で示すフルＰＣａに限らず、ハーフＰＣａや外殻ＰＣａ等においてもそのコンクリート端部に形成できるものであり、梁部材の形状によって特別に変更されるものでない。この間隔９のコンクリート部を残すことによって、柱・梁接合部内にコンクリート打設する際の型枠を形成する際に梁下面側の型枠が不要となる。
【００１７】
従って、本発明による梁部材は、柱部材に対する梁部材の架設を確実にしながら柱・梁接合部における結合作業を容易にでき、さらには、柱・梁接合部内にコンクリート打設する際の型枠を形成する際に梁下面側の型枠が不要となる型枠の省力化が図れるものである。
【００１８】
次に、本発明による柱・梁接合部の施工方法についてその実施の形態を説明するが、図２は、本発明による柱・梁接合部の施工方法の概要を示す実施の形態図である。
【００１９】
図示のように、両端に面取部７を形成している梁部材１は、柱上端部１２から長尺の柱主筋１３を突出させて成る連設の柱部材１１、１１の間に架設されており、そのコンクリート端部を柱部材１１のコンクリート上面１４に載置している。又、梁部材１の端部からは、梁下端主筋４と梁上端主筋６が所定長さで突出されており、対峙する他方の梁部材１から突出されている梁下端主筋４と梁上端主筋６と相互に結合されている。
【００２０】
又、図３は、対峙する梁主筋間の結合状態を示しており、図２を（３）−（３）矢視した柱・梁接合部の拡大平面図である。
【００２１】
図示のように対峙する各梁部材１の梁下端主筋４は、図の縦方向に示す梁上配筋側とこれと直交して図の横方向に表示している梁下配筋側とにおいて、梁下端主筋４同士を機械的継手１５によって一体に結合されているが、柱・梁接合部では、柱部材１１上から接合部を貫通させて上階側の柱部材に接続される多数の柱主筋１３が突出していることから、梁下端主筋４と梁上端主筋６及び柱主筋１３との相互間はその混在によって極めて緻密になっており、従来にあっては、機械的継手１５で梁下端主筋同士を一体に結合するための作業は、外部から手を差し込むのも困難であることから、その作業効率が極端に悪くなっていた。
【００２２】
しかして、本発明による柱・梁接合部の施工方法の場合は、梁部材１両端に面取部７を形成していることで、互いに直交する隣接の梁部材１との間に各面取部７で形成される作業間隙１６を確保することが可能になっており、これによって、作業員１７は、図示のように手を機械的継手１５の近傍に比較的容易に挿入できるものであり、機械的継手１５による梁下端主筋同士を一体に結合するため作業は、何らの支障も無く実施できる。
【００２３】
以上のように、本発明の施工方法では、上記実施の形態が示すように施工操作に必要な空間を容易に確保しているので、柱上端部から長尺の柱主鉄筋を突出させて成る連設の柱部材間に架設される梁部材にあっても、柱・梁接合部における梁下端主筋の結合作業性を大幅に向上させることができるものである。
【００２４】
以上、本発明を実施の形態に基づいて詳細に説明してきたが、本発明による柱・梁接合部の施工方法と梁部材は、上記実施の形態に何ら限定されるものでなく、本発明の趣旨を逸脱しない範囲において種々の変更が可能であることは当然である。
【００２５】
【発明の効果】
本発明による柱・梁接合部の施工方法は、柱上端部に長尺の柱主鉄筋を突出させて成る柱部材の上端面上に少なくとも三方から両端部に所定長さの梁下端主筋を突出させて成るプレキャストコンクリート製の梁部材を裁置して、対向する梁部材の梁下端主筋同士を結合する柱・梁接合部の施工方法であって、梁下端主筋を突出させた梁端部側辺に面取部を形成して成る梁部材を柱部材間の上端面上に架設して、直交する梁部材との間に該面取部によって所望の間隙を形成し、該隙間を通じて梁下端主筋同士を結合することを特徴としているので、柱上端部から長尺の柱主鉄筋を突出させて成る連設の柱部材間、若しくは、一つおきに柱上端部から長尺の柱主鉄筋を突出させて成る連設の柱部材間に架設される梁部材にあっても施工操作に必要な空間を確保して柱・梁接合部における梁下端主筋の結合作業性を向上させる効果を発揮している。
【００２６】
又、本発明による梁部材は、上記柱・梁接合部の施工方法に用いられるプレキャストコンクリート製の梁部材であって、梁部材の両端部の側辺に所定寸法の面取部を形成し、少なくとも梁部材の下側面から所定の間隔を保って形成することを特徴としているので、柱部材に対する梁部材の架設を確実にしながら柱・梁接合部における梁下端主筋の結合作業を容易にできる効果を発揮している。
【図面の簡単な説明】
【図１】本発明による梁部材の実施の形態を示す斜視図
【図２】本発明による柱・梁接合部の施工方法を概要的に示す実施の形態図
【図３】本発明による柱・梁接合部の平断面図
【符号の説明】
１  梁部材、  ２  プレキャストコンクリート、
３  帯筋（せん断補強筋）、  ４  梁下端主筋、  ５  上面、
６  梁上端主筋、  ７  面取部、  ８  下側面、  ９  間隔、
１０  欠落部、  １１  柱部材、  １２  柱上端部、  １３  柱主筋、
１４  コンクリート上面、  １５  機械的継手、  １６  作業間隙、
１７  作業員、
【図１】
2004270353.tif 000003
【図２】
2004270353.tif 000004
【図３】
2004270353.tif 000005